(57)【要約】【課題】波板形状を利用して壁面への位置決めや配置や取付が容易で、装飾性に優れた装飾用壁面パネルを提供する。【解決手段】壁面に複数枚が並べて取り付けられる装飾用壁面パネルであって、弾性を有する薄板状のパネル本体１１に、山部１２ｍ、谷部１２ｖが一定ピッチで反復形成された波形部１２と、この波形部１２の横断方向の両側で山、谷部１２ｍ，１２ｖの頂部の長さ方向に沿って形成された平坦面１３とを具備するとともに、パネル本体１１が、平坦面１３の外縁で山、谷部１２ｍ，１２ｖの頂部に平行に形成された平行辺１４Ｂと、波形部１２の山、谷部１２ｍ，１２ｖを直角に横断する横断辺１４Ａとで正面視が矩形状に形成され、平坦面１３が谷部１２ｖの頂部と略面一に形成されて壁面に取り付けられる。【選択図】図１
2012162926.tif 000002
【特許請求の範囲】
【請求項１】
壁面に複数枚が並べて取り付けられる装飾用壁面パネルであって、
弾性を有する薄板状のパネル本体に、山、谷部が一定ピッチで反復形成されて頂部が長さ方向に沿う波形部と、当該波形部の横断方向の両側で山、谷部の長さ方向に沿って形成された平坦面とを具備するとともに、
パネル本体が、前記平坦面の外縁で山、谷部に平行に形成された平行辺と、波形部の山、谷部を直角に横断する横断辺とで正面視が矩形状に形成され、
前記平坦面が谷部の頂部と略面一に形成されて、壁面に取り付けられる
ことを特徴とする装飾用壁面パネル。
【請求項２】
壁面に複数枚のパネル本体が並べて取り付けられる装飾用壁面パネルであって、
弾性を有する薄板状のパネル本体に、山、谷部とが一定ピッチで反復形成されて頂部が長さ方向に沿う波形部と、当該波形部の横断方向の両側で山、谷部の頂部の長さ方向に沿って形成された平坦面とを具備するとともに、
パネル本体が、前記平坦面の外縁で山、谷部に平行に形成された平行辺と、波形部の山、谷部の頂部に所定角度傾斜して横断する傾斜辺とで正面視が平行四辺形に形成され、
前記平坦面は谷部の頂部と略面一に形成されて、壁面に取り付けられる
ことを特徴とする装飾用壁面パネル。
【請求項３】
請求項１記載の装飾用壁面パネルを使用した壁面パネルユニットであって、
２枚のパネル本体からなり、
一方のパネル本体の横断辺と、他方のパネル本体の平行辺とが突き合わされた状態で連結手段により一体に連結され、隣接する壁面パネルの波形部の山、谷部の頂部が直交する方向に配置された
ことを特徴とする壁面パネルユニット。
【請求項４】
請求項１記載の装飾用壁面パネルを使用した壁面パネルユニットであって、
パネル本体の両平坦面を互いに接近させることにより、波形部を湾曲させて前面に膨出させた湾曲波形部とし、両平坦面を互いに連結する連結部材を設けた
ことを特徴とする壁面パネルユニット。
【請求項５】
請求項２記載の装飾用壁面パネルを使用した壁面パネルユニットであって、
波形部の幅の異なる２枚のパネル本体からなり、
パネル本体の平行辺同士が付き合わされた状態、または平坦面の少なくとも一部が重なり合った状態で結合手段により一体に連結され、隣接する壁面パネルの波形部の山、谷部が互いに平行に配置された
ことを特徴とする壁面パネルユニット。
【請求項６】
請求項１記載の装飾用壁面パネルを使用した装飾壁面であって、
波形部を前面に膨出させた湾曲波形部を有する複数のパネル本体を、それぞれの平坦部の平行辺同士を突き合せた状態または平坦面の少なくとも一部を重ね合わされた状態で、取付手段により平坦面を介して壁面に取り付けられた
ことを特徴とする装飾壁面。
【請求項７】
波形部の曲率の異なる複数のパネル本体を並べて配置した
ことを特徴とする請求項６記載の装飾壁面。
【請求項８】
請求項２記載の装飾用壁面パネルを使用した装飾壁面であって、
一方の壁面パネルと他方の壁面パネルの傾斜辺が突き合わされた状態、または少なくとも平坦面の一部を重ね合わされた状態で、取付手段により平坦面が壁面に取り付けられ、隣接する壁面パネルの波形部の山、谷部の頂部が折れ曲がり状に連続するように配置された
ことを特徴とする装飾壁面。
【発明の詳細な説明】
【技術分野】
【０００１】
本発明は、壁面に容易かつ強固に取付可能な装飾性の高い装飾用壁面パネル、および壁面パネルを使用した壁面パネルユニット、ならびに装飾壁面に関する。
【背景技術】
【０００２】
室内や屋内通路などの壁面に装飾を施す場合、一般的に平坦または凹凸のあるモザイクタイルなどを貼着することが多い。たとえば凹凸により幾何学的な模様や影を形成しようとする場合、たとえば金属製や樹脂製などの波形板（トタン板）を利用することが考えられる。
【０００３】
通常、波形板の壁面への取付方法として、特許文献１に示されるように、山部の頂面に形成した穿孔を介して、パッキン付き釘やねじ釘、Ｊ形やＬ形ボルトなどの取付具を使用している。
【先行技術文献】
【特許文献】
【０００４】
【特許文献１】特開２００８−８２１４５号公報
【発明の概要】
【発明が解決しようとする課題】
【０００５】
しかしながら、従来には、波形板は、通常、定形で販売されているので、波形を変形させずに切断するのに熟練を要することや、波形の山部頂面に取付釘やボルトの頭部が露出すること、壁面への位置決めや配置、取付に手間がかかることなどを理由に、波形板が装飾壁板として用いられることはほとんどなかった。
【０００６】
本発明は上記問題点を解決して、波形板を利用して壁面への位置決めや配置や取付が容易で、装飾性に優れた装飾用壁面パネルおよび壁面パネルユニットならびに装飾用壁面を提供することを目的とする。
【課題を解決するための手段】
【０００７】
請求項１記載の発明は、
壁面に複数枚が並べて取り付けられる装飾用壁面パネルであって、
弾性を有する薄板状のパネル本体に、山、谷部が一定ピッチで反復形成されて頂部が長さ方向に沿う波形部と、当該波形部の横断方向の両側で山、谷部の長さ方向に沿って形成された平坦面とを具備するとともに、
パネル本体が、前記平坦面の外縁で山、谷部に平行に形成された平行辺と、波形部の山、谷部を直角に横断する横断辺とで正面視が矩形状に形成され、
前記平坦面が谷部の頂部と略面一に形成されて、壁面に取り付けられるものである。
【０００８】
請求項２記載の発明は、
壁面に複数枚のパネル本体が並べて取り付けられる装飾用壁面パネルであって、
弾性を有する薄板状のパネル本体に、山、谷部とが一定ピッチで反復形成されて頂部が長さ方向に沿う波形部と、当該波形部の横断方向の両側で山、谷部の頂部の長さ方向に沿って形成された平坦面とを具備するとともに、
パネル本体が、前記平坦面の外縁で山、谷部に平行に形成された平行辺と、波形部の山、谷部の頂部に所定角度傾斜して横断する傾斜辺とで正面視が平行四辺形に形成され、
前記平坦面は谷部の頂部と略面一に形成されて、壁面に取り付けられるものである。
【０００９】
請求項３記載の発明は、請求項１記載の装飾用壁面パネルを使用した壁面パネルユニットであって、
２枚のパネル本体からなり、
一方のパネル本体の横断辺と、他方のパネル本体の平行辺とが突き合わされた状態で連結手段により一体に連結され、隣接する壁面パネルの波形部の山、谷部の頂部が直交する方向に配置されたものである。
【００１０】
請求項４記載の発明は、請求項１記載の装飾用壁面パネルを使用した壁面パネルユニットであって、
パネル本体の両平坦面を互いに接近させることにより、波形部を湾曲させて前面に膨出させた湾曲波形部とし、両平坦面を互いに連結する連結部材を設けたものである。
【００１１】
請求項５記載の発明は、請求項２記載の装飾用壁面パネルを使用した壁面パネルユニットであって、
波形部の幅の異なる２枚のパネル本体からなり、
パネル本体の平行辺同士が付き合わされた状態、または平坦面の少なくとも一部が重なり合った状態で結合手段により一体に連結され、隣接する壁面パネルの波形部の山、谷部が互いに平行に配置されたものである。
【００１２】
請求項６記載の発明は、請求項１記載の装飾用壁面パネルを使用した装飾壁面であって、
波形部を前面に膨出させた湾曲波形部を有する複数のパネル本体を、それぞれの平坦部の平行辺同士を突き合せた状態または平坦面の少なくとも一部を重ね合わされた状態で、取付手段により平坦面を介して壁面に取り付けられたものである。
【００１３】
請求項７記載の発明は、請求項６記載の構成において、
湾曲波形部の曲率の異なる複数のパネル本体を並べて配置したものである。
請求項８記載の発明は、請求項２記載の装飾用壁面パネルを使用した装飾壁面であって、
一方の壁面パネルと他方の壁面パネルの傾斜辺が突き合わされた状態、または少なくとも平坦面の一部を重ね合わされた状態で、取付手段により平坦面が壁面に取り付けられ、隣接する壁面パネルの波形部の山、谷部の頂部が折れ曲がり状に連続するように配置されたものである。
【発明の効果】
【００１４】
請求項１記載の発明によれば、波形部の両側に、谷部の頂部と略面一の平坦面を形成することにより、壁面への位置決めや配置、取付を容易かつ強固に行うことができる。また波形部の配置により照明や色彩、視認位置の変化などに対応して壁面を豊かに演出することができる装飾性に優れた装飾用壁面パネルを提供することができる。
【００１５】
請求項２記載の発明によれば、波形部の両側に、谷部の頂部と略面一の平坦面を形成し、さらに横断辺を山、谷部に対して傾斜して切り取ることにより、壁面への位置決めや配置、取付を容易かつ強固に行うことができる。また波形部の配置により照明や色彩、視認位置の変化に対応して壁面を豊かに演出することができる装飾性に優れた装飾用壁面パネルを提供することができる。
【００１６】
請求項３記載の発明によれば、波形部の両側に、谷部の頂部と略面一の平坦面を形成した２枚の装飾用壁面パネルを、予め山、谷部が直交交差する方向に連結して一体化しておくことにより、壁面への位置決めや配置や取付を容易かつ強固に行って、変化のある壁面を容易に短時間で形成することができ、波形部の配置により照明や色彩、視認位置などにより壁面を豊かに形成することができる装飾性に優れた壁面パネルユニットを提供することができる。
【００１７】
請求項４記載の発明によれば、波形部の両側に、谷部の頂部と略面一の平坦面を形成し、さらに平坦面を互いに接近させて波形部を湾曲させて前面に膨出させた状態で連結部材により湾曲形状を保持することにより、変化のある壁面を容易かつ確実に形成することができ、装飾性に優れた壁面パネルユニットを提供することができる。
【００１８】
請求項５記載の発明によれば、波形部の両側に、谷部の頂部と略面一の平坦面を形成するとともに、横断辺が傾斜されて波形部の幅の異なるパネル本体の平坦面を結合手段により連結して一体化した壁面パネルユニットにより、壁面への位置決めや配置、取付を容易かつ強固に行うことができ、変化のある壁面を容易に短時間で形成することができる。
【００１９】
請求項６記載の発明によれば、波形部の両側に、谷部の頂部と略面一の平坦面を形成し、平坦面を接近させて波形部を湾曲させて膨出させた複数のパネル本体を、平坦面を介して壁面に取り付けることにより、変化のある装飾壁面を容易に短時間で形成することができる。
【００２０】
請求項７記載の発明によれば、膨出する波形部の曲率を変化させることで、さらに変化の大きい装飾用面を形成することができる。
請求項８記載の発明によれば、波形部の山、谷部を折れ曲がり状に連続する変化の大きい装飾壁面を容易に形成することができる。
【図面の簡単な説明】
【００２１】
【図１】（ａ）〜（ｅ）は、本発明に係る装飾用壁面パネルの実施例１を示し、（ａ）は背面図、（ｂ）は平面図、（ｃ）は正面図、（ｄ）は右側面図、（ｅ）は斜視図である。
【図２】（ａ）および（ｂ）は、装飾用壁面パネルを取り付けた装飾壁面の部分正面図で、（ａ）は整列配置、（ｂ）は千鳥配置を示す。
【図３】（ａ）〜（ｆ）は、実施例１の装飾用壁面パネルを使用した壁面パネルユニットの実施例２を示し、（ａ）は背面図、（ｂ）は平面図、（ｃ）は正面図、（ｄ）は右側面図、（ｅ）は左側面図、（ｆ）は斜視図である。
【図４】実施例２の壁面パネルを取り付けた装飾壁面の斜視図である。
【図５】（ａ）〜（ｅ）は、実施例１の装飾用壁面パネルを湾曲させた壁面パネルユニットの実施例３を示し、（ａ）は背面図、（ｂ）は平面図、（ｃ）は正面図、（ｄ）は右側面図、（ｅ）は斜視図である。
【図６】実施例３およびその変形例の壁面パネルユニットを取り付けた装飾壁面の一部を示す斜視図である。
【図７】（ａ）〜（ｆ）は、装飾用壁面パネルの実施例４を示し、（ａ）は背面図、（ｂ）は平面図、（ｃ）は正面図、（ｄ）は底面図、（ｅ）は右側面図、（ｆ）は斜視図である。
【図８】（ａ）および（ｂ）は、実施例４の装飾用壁面パネルを取り付けた装飾壁面の一部を示す正面図で、（ａ）は整列配置、（ｂ）は折れ曲がり配置を示す。
【図９】（ａ）〜（ｆ）は、実施例４の装飾用壁面パネルを使用した壁面パネルユニットの実施例５を示し、（ａ）は背面図、（ｂ）は平面図、（ｃ）は正面図、（ｄ）は右側面図、（ｅ）は左側面図、（ｆ）は斜視図である。
【図１０】実施例５の壁面パネルユニットを取り付けた装飾壁面を示す部分斜視図である。
【発明を実施するための形態】
【００２２】
［実施例１］
以下、本発明に係る装飾用壁面パネルの実施例１を図１および図２に基づいて説明する。
【００２３】
この装飾用壁面パネルは、弾性を有する１枚の薄板鋼板または薄板樹脂板からなるパネル本体１１に、一定の高さの山部１２ｍ、谷部１２ｖとが一定ピッチで反復形成された波形部１２と、当該波形部１２の横断方向の両側で山、谷部１２ｍ，１２ｖの頂部の長さ方向に沿って形成された左右一対の平坦面１３とが形成されている。そして、パネル本体１１は、平坦面１３の外縁で山、谷部１２ｍ，１２ｖの頂部と平行な一対の平行辺１４Ａと、波形部１２を直角に横断する一対の横断辺１４Ｂとで正面視が矩形に形成されている。さらに平坦面１３は、それぞれ谷部１２ｖの頂部と略面一状に形成され、取付手段であるビスや釘、接着剤、両面テープなどにより、平坦面１３が壁面に取り付けられる。
【００２４】
なお、波形部１２の山，谷部１２ｍ，１２ｖは、市販の波形トタン板より高さが大きく形成されている。
使用に際して、壁面にパネル本体１１の配置を示す下図を割り付して描き、パネル本体１１を複数枚を図２（ａ）に示す整列位置、あるいは図２（ｂ）に示す千鳥位置に並べて取付手段により取り付け、壁面を装飾する。
【００２５】
パネル本体１１の表面は、単一色の着色を施してもよいし、たとえば山部１２ｍの頂部から両側に谷部にかけて互いに異なる色を配色し、視認する角度で色彩を変化させることもできる。また、山、谷部１２ｍ，１２ｖの一方の外側方から照明を当てて山、谷部１２ｍ，１２ｖを浮かび上がらせ、視認する角度で明暗を変化させることもできる。もちろん、山部１２ｍの頂部から両側に、それぞれ別の抽象、具象のデザイン画や文字を描くこともできる。
【００２６】
上記第１壁面パネルによれば、波形部１２の両側に、谷部１２ｖの頂部と略面一の平坦面１３を形成したので、ビスやボルト、接着剤、両面テープなどの取付手段を使用して、壁面への割付（位置決め）や取り付けを容易かつ強固に行うことができ、また波形部１２の配置や着色、照明、視認角度などにより変化の大きい壁面を多様に創出することができる装飾性に優れた装飾用壁面パネルを提供することができる。
【００２７】
［実施例２］
第１実施例の壁面パネルを使用した壁面パネルユニットの実施例２を図３，図４を参照して説明する。なお、実施例１と同一部材には同一符号を付して説明を省略する。
【００２８】
この壁面パネルユニット２０は、２枚のパネル本体１１Ａ，１１Ｂからなり、これらパネル本体１１Ａ，１１Ｂは、実施例１のパネル本体１１と同一構造であるが、波形部１２の幅が狭く正面視が略正方形のものが使用される。そして、一方のパネル本体１１Ａの横断辺１４Ａと、他方のパネル本体１１Ｂの平行辺１４Ｂとが突き合わされた状態で、たとえば薄板状で湾曲可能な連結板２２が背面に配置され、この連結板２２と平坦面１３とが、結合手段である接着剤やリベット、スポット溶接などにより一体に取り付けられ、２つのパネル本体１１Ａ，１１Ｂの波形部１２の山、谷部１２ｍ，１２ｖが直交する方向に配置される。
【００２９】
この平面パネルユニット２０は、図４に示すように、壁面１０に対して、平坦面１３および連結板２２がビスや釘により取り付けられたり、または連結板２２が接着剤、両面テープなどにより取り付けられて、複数の平面パネルユニット２０を配列され装飾壁面が形成される。
【００３０】
パネル本体１１Ａ，１１Ｂの表面は、実施例１と同様に着色される。
上記実施例２によれば、２枚のパネル本体１１Ａ，１１Ｂを、波形部１２の山、谷部１２ｍ，１２ｖが直交する方向に配置して予め連結したので、壁面１０への取付を容易かつ確実に短時間で行うことができる。
【００３１】
なお、ここで連結板２２は、２枚のパネル本体１１Ａ，１１Ｂの裏面全体を覆う板状に表しているが、連結板２２はパネル本体１１Ａ，１１Ｂを一体に連結する機能を果せればよく、形状が限定されるものではないため、破線で表している。また、連結板２２を削除し、平坦面１３の一部同士を重ね、結合手段である接着剤やリベット、スポット溶接などにより接合したものであってもよく、さらに縁部同士を突き合せ溶接により平坦面１３の縁部同士を接合することもできる。さらにまた、樹脂製のパネル本体１１Ａ，１１Ｂを使用する場合には、予め溶着したり、一体成形することもできる。
【００３２】
上記実施例１および２において、壁面が平面であることを前提に説明したが、パネル本体１１，１１Ａ，１１Ｂが有する弾性を利用して、波形部１２および平坦面を横断方向に湾曲および角度を任意に調整することができることから、曲面状壁面やコーナー壁面、平面と曲面の複合面、所定角度で連結されたの複合平面状の壁面に容易かつ確実に取り付けることもできる。
【００３３】
［実施例３］
実施例１を変形した装飾用壁面パネルを使用した壁面パネルユニットの実施例３を、図５に基づいて説明する。なお、実施例１と同一部材には同一符号を付して説明を省略する。
【００３４】
すなわち、弾性を有する薄板鋼板または薄板樹脂板で形成されたパネル本体１１の両平坦面１３を互いに接近させることにより、波形部１２を湾曲させて前面に膨出させた湾曲波形部１２Ａを有するパネル本体３１を具備し、この壁面パネルユニット３０は、このパネル本体３１と、湾曲形状を保持するための薄板状で湾曲可能な保持部材（連結部材）３２とで構成されている。背面に配置された保持部材３２は、結合手段である接着剤やリベット、スポット溶接などにより平坦面１３に取り付けられて一体化されている。なお、図５では、保持部材３２は形状が限定されないため、破線で表している。
【００３５】
壁面への取り付けに際して、隣接する壁面パネル３１の平坦面１３同士を突き合せた状態、または平坦面１３の一部を重ね合わせた状態で、前記取付手段により、平坦面１３が保持部材３２を介して壁面に取り付けられる。
【００３６】
またパネル本体３１の表面は、実施例１と同様に着色される。
上記実施例３の壁面パネルユニット３０によれば、波形部１２の両側に、谷部１２ｖの頂部と略面一の平坦面１３を形成し、パネル本体３１の平坦面１３を互いに接近させて、前面に膨出する湾曲波形部１２Ａを形成することにより、変化のある装飾壁面を容易かつ短時間で形成することができ、装飾性に優れた装飾用壁面パネルを提供することができる。また湾曲波形部１２Ａの湾曲部内にランプや電球などの灯火などを設置することにより、間接壁面照明としても利用することができる。
【００３７】
なお、幾分厚みがあり、湾曲波形部１２Ａを形成してその形状を自己保持可能な薄板鋼板または薄板樹脂板を使用する場合には、保持部材３２を削除することができる。また、このような保持部材３２を有しないパネル本体３１を壁面に取り付蹴る場合、たとえば壁面に配置を示す下図を描き、実施例１の装飾用壁面パネルの波形部１２を湾曲させて湾曲波形部１２Ａとし、それぞれの平坦面１３を直接壁面に取り付けることにより、壁面を装飾することができる。
【００３８】
［実施例４］
実施例１および実施例３の壁面パネルを使用した壁面パネルユニットおよび装飾壁面の実施例４を図６に基づいて説明する。なお、実施例１と同一部材には同一符号を付して説明を省略する。
【００３９】
この壁面パネルユニット４０は、平坦面１３の間隔を変化させて湾曲波形部１２Ａの曲率を変化させた複数のパネル本体３１Ａ〜３１Ｃと、平面状の波形部１２を有するパネル本体１１とを、それぞれの平坦面１３を平行辺１４Ａを介して互いに突き合せ、あるいは平坦面１３の一部を重ね合わせた状態で薄板状で湾曲可能な連結板（連結部材）４２により一体化したもので、図６では、壁面パネルユニット４０が上下３段に壁面に取り付けられている。
【００４０】
すなわち、図６では、左側から平坦面１３の間隔を狭くして曲率の最も大きい湾曲波形部１２Ａを形成したパネル本体３１Ａと、平坦面１３の間隔を広くして曲率の最も小さい湾曲波形部１２Ｂを形成したパネル本体３１Ｂと、平坦な波形部１２を有するパネル本体１１と、曲率が中間程度の湾曲波形部１２Ｃを形成したパネル本体３１Ｃとを、それぞれ連結板４２により連結したものである。なお、パネル本体１１，３１Ａ〜３１Ｃの配置は、任意に選択することができる。
【００４１】
またこれらパネル本体３１Ａ〜３１Ｃおよびパネル本体１１の表面は、実施例１と同様に着色される。
壁面パネルユニット４０の壁面への取付に際しては、平面状、あるいは曲面状の壁面に対して、所定位置に平坦面１３を連結板４２を介して取付手段により取り付け、所定に配置すればよい。
【００４２】
上記実施例４の壁面パネルユニット４０によれば、平面状の波形部１２の両側に、谷部１２ｖの頂部と略面一の平坦面１３を形成したパネル本体１１を用いて、平坦面１３を互いに接近させて曲率の異なる湾曲波形部１２Ａを有するパネル本体３１Ａ〜３１Ｃを形成し、これらパネル本体１１,３１Ａ〜３１Ｃを連結板４２により一体化したので、変化の大きい装飾用壁面を容易かつ短時間で形成することができる。
【００４３】
［実施例４のパネル本体を使用した装飾壁面］
なお、連結板４２を使用しないで装飾壁面を形成する場合、たとえば壁面に、湾曲波形部１２Ａ〜１２Ｃの曲率から平坦面１３の間隔を考慮して、配置を示す下図を描き、この下図に合わせて、湾曲波形部１２Ａの曲率を調整しつつ、パネル本体１１の平坦面１３をそれぞれ取付手段により直接壁面に取り付けて、実施例４の壁面パネルユニット４０を使用した装飾壁面と同様の壁面を形成することもできる。
【００４４】
［実施例５］
実施例１乃至４では、パネル本体１１，１１Ａ，１１Ｂ，３１，３１Ａ〜３１Ｃを、波形部１２，１２Ａ〜１２Ｃの山、谷部１２ｍ，１２ｖの頂部に垂直な横断辺１４Ａを有する矩形状に形成したが、実施例５では、図７に示すように、パネル本体５１を、波形部１２の山、谷部１２ｍ，１２ｖの頂部の長さ方向に沿う一対の平行辺１４Ｂと、波形部１２の山、谷部１２ｍ，１２ｖの頂部に所定角度で傾斜する一対の傾斜辺１４Ｃとで、正面視が平行四辺形に形成したものである。
【００４５】
パネル本体５１の表面は、実施例１と同様に着色される。
実施例５によれば、パネル本体５１は、実施例１乃至４と同様に、平坦面１３の平行辺１４Ｂ同士や傾斜辺１４Ｃ同士を突き合せた状態、または一部を重ねた状態で、前記取付手段により平坦面１３を介して壁面に取り付けることにより、図８（ａ）に示すように、波形部１２の山、谷部１２ｍ，１２ｖが傾斜した装飾壁面や、図８（ｂ）に示すように、波形部１２の山、谷部１２ｍ，１２ｖの頂部が折れ曲がった立体模様の装飾壁面を形成することができる。
【００４６】
［実施例６］
実施例５と同形で、波形部１２の幅の異なる２枚のパネル本体５１Ａ，５１Ｂを一体にした壁面パネルユニット６０を、図９および図１０を参照して説明する。なお、先の実施例と同一部材には同一符号を付して説明を省略する。
【００４７】
壁面パネルユニット６０は、波形部１２の幅の狭いパネル本体５１Ａと、波形部１２の幅の広いパネル本体５１Ｂとを具備し、それぞれの平坦面１３の平行辺１４Ｂが突き合わされた状態、または一部が重なった状態で、たとえば薄板状で湾曲可能な連結板（連結部材）６２が背面に配置され、この連結板６２と平坦面１３とが、結合手段である接着剤やリベット、スポット溶接などにより互いに接合されて、パネル本体５１Ａ，５１Ｂが一体に連結されている。
【００４８】
図１０に示すように、複数の壁面パネルユニット６０を、平行辺１４Ｂおよび傾斜辺１４Ｃが突き合わされた状態で、山、谷部１２ｍ，１２ｖの頂部が互いに傾斜するように、取付手段により壁面に並べて取り付けることにより、波形部１２の山、谷部１２ｍ，１２ｖが折れ曲がった様態で、奥行きのある立体状に表出した装飾壁面を形成することができる。
【００４９】
上記実施例６によれば、傾斜辺１４Ｃを山、谷部１２ｍ，１２ｖに所定角度傾斜して形成し、波形部１２の両側に、谷部１２ｖの頂部と略面一状の平坦面１３を形成することにより、壁面への位置決めや配置や取付を容易かつ強固に行うことができ、波形部１２の配置により照明や色彩、視認位置などにより平面を立体的に演出する装飾性に優れた装飾用壁面パネルユニット６０を提供することができる。
【符号の説明】
【００５０】
１１    パネル本体
１１Ａ，１１Ｂ  パネル本体
１２    波形部
１２ｍ  山部
１２ｖ  谷部
１２Ａ〜１２Ｃ  湾曲波形部
１３    平坦面
１４Ａ  横断辺
１４Ｂ  平行辺
１４Ｃ  傾斜辺
２０    壁面パネルユニット
２２    連結板（連結部材）
３０    壁面パネルユニット
３１    パネル本体
３１Ａ〜３１Ｃ  パネル本体
３２    保持部材（連結部材）
４０    壁面パネルユニット
４２    連結板（連結部材）
５１    パネル本体
５１Ａ，５１Ｂ  パネル本体
６０    壁面パネルユニット
６２    連結板（連結部材）
【図１】
2012162926.tif 000003
【図２】
2012162926.tif 000004
【図３】
2012162926.tif 000005
【図４】
2012162926.tif 000006
【図５】
2012162926.tif 000007
【図６】
2012162926.tif 000008
【図７】
2012162926.tif 000009
【図８】
2012162926.tif 000010
【図９】
2012162926.tif 000011
【図１０】
2012162926.tif 000012